(57)【要約】【課題】回動軸として丸軸を用いることなく、表示画面の角度調節の操作を容易に行うことが可能な表示画面支持機構を提供する。【解決手段】この表示画面支持機構１は、液晶表示部４０側に設けられる液晶表示部支持部材２と、台座５０側に設けられる台座側支持部材３と、板状の支持軸４とを備える。また、液晶表示部支持部材２および台座側支持部材３は、板状の支持軸４が挿入される扇形状の穴部２ｄおよび長方形状の穴部３ｄと、液晶表示部支持部材２および台座側支持部材３の互いに対向する面側に圧接されて摩擦抵抗を発生させるための凸部２ｆおよび３ｆとを有する。また、凸部２ｆと凸部３ｆとは、液晶表示部支持部材２と台座側支持部材３との両方が弾性変形により撓んだ状態で液晶表示部支持部材２または台座側支持部材３に圧接され、液晶表示部支持部材２が扇形状の穴部２ｄの角度範囲で板状の支持軸４を回動軸として回動可能である。【選択図】図３
2007233232.tif 000002
【特許請求の範囲】
【請求項１】
表示画面側に設けられる表示画面側支持部材と、台座側に設けられる台座側支持部材とを備えた表示画面支持機構において、
板状に形成された板金製の支持軸をさらに備え、
前記表示画面側支持部材は、前記板状の支持軸が挿入される第１穴部を有するとともに、前記支持軸を回動軸として回動可能であり、
前記台座側支持部材は、前記板状の支持軸が挿入される第２穴部を有し、
前記表示画面側支持部材および前記台座側支持部材には、それぞれ、前記表示画面側支持部材および前記台座側支持部材の互いに対向する面側に圧接されて摩擦抵抗を発生させるための第１凸部および第２凸部が設けられており、
前記第１凸部および第２凸部は、前記支持軸を挟むように配置されており、
前記表示画面側支持部材の第１凸部および前記台座側支持部材の第２凸部は、それぞれ、前記表示画面側支持部材および前記台座側支持部材が弾性変形により撓んだ状態で前記台座側支持部材および前記表示画面側支持部材に圧接され、
前記第１穴部および前記第２穴部のうちのいずれか一方は、扇形状に形成されるとともに、他方は、前記板状の支持軸の回動を規制するように長方形状に形成され、
前記表示画面側支持部材が前記扇形状の角度範囲で前記板状の支持軸を回動軸として回動可能である、表示画面支持機構。
【請求項２】
板状に形成された板金製の支持軸と、
前記板状の支持軸が挿入される第１穴部を有するとともに、表示画面側に設けられ、前記支持軸を回動軸として回動可能な表示画面側支持部材と、
前記板状の支持軸が挿入される第２穴部を有するとともに、台座側に設けられる台座側支持部材とを備え、
前記表示画面側支持部材と前記台座側支持部材との少なくとも一方には、前記表示画面側支持部材および前記台座側支持部材の互いに対向する面側に圧接されて摩擦抵抗を発生させるための凸部が設けられている、表示画面支持機構。
【請求項３】
前記表示画面側支持部材と前記台座側支持部材との少なくとも一方に設けられる前記凸部は、前記表示画面側支持部材と前記台座側支持部材との少なくとも一方が弾性変形により撓んだ状態で前記表示画面側支持部材と前記台座側支持部材との少なくとも一方に圧接されている、請求項２に記載の表示画面支持機構。
【請求項４】
前記凸部は、前記表示画面側支持部材に設けられた第１凸部と、前記台座側支持部材に設けられた第２凸部とを含み、
前記表示画面側支持部材の第１凸部と前記台座側支持部材の第２凸部とは、前記支持軸を挟むように配置されている、請求項２または３に記載の表示画面支持機構。
【請求項５】
前記板状の支持軸が挿入される前記第１穴部および前記第２穴部のうちの少なくともいずれか一方を扇形状に形成するとともに、前記表示画面側支持部材が前記扇形状の角度範囲で前記板状の支持軸を回動軸として回動可能である、請求項２〜４のいずれか１項に記載の表示画面支持機構。
【請求項６】
前記第１穴部および前記第２穴部のうちのいずれか一方を扇形状に形成するとともに、他方を前記板状の支持軸の回動を規制するように長方形状に形成する、請求項２〜５のいずれか１項に記載の表示画面支持機構。
【請求項７】
板状に形成された板金製の支持軸と、
前記板状の支持軸が挿入される第１穴部を有するとともに、表示画面側に設けられ、前記支持軸を回動軸として回動可能な表示画面側支持部材と、
前記板状の支持軸が挿入される第２穴部を有するとともに、台座側に設けられる台座側支持部材と、
前記板状の支持軸が挿入される第３穴部を有する板部材とを備え、
前記板部材には、前記表示画面側支持部材または前記台座側支持部材のいずれか一方に圧接されて摩擦抵抗を発生させるための凸部が設けられる、表示画面支持機構。
【請求項８】
前記板部材の凸部は、前記板状の支持軸を挟むように配置されている一対の凸部を含む、請求項７に記載の表示画面支持機構。
【請求項９】
前記板状の支持軸が挿入される前記第１穴部および前記第２穴部のうちの少なくともいずれか一方を扇形状に形成するとともに、前記表示画面側支持部材が前記扇形状の角度範囲で前記板状の支持軸を回動軸として回動可能である、請求項７または８に記載の表示画面支持機構。
【請求項１０】
前記第１穴部および前記第２穴部のうちのいずれか一方を扇形状に形成するとともに、他方を前記板状の支持軸の回動を規制するように長方形状に形成する、請求項７〜９のいずれか１項に記載の表示画面支持機構。
【発明の詳細な説明】
【技術分野】
【０００１】
本発明は、表示画面支持機構に関する。
【背景技術】
【０００２】
従来、表示画面を所定の角度傾斜させた状態で支持することが可能な表示画面支持機構が知られている（たとえば、特許文献１参照）。
【０００３】
この特許文献１に記載の表示画面支持機構では、表示画面は、一対の２本の支持脚によって支持されるとともに、支持脚の角度を変えることにより、表示画面の角度が調節される。また、一対の２本の支持脚をピンで固定することによって、表示画面の角度が固定される。
【０００４】
しかしながら、上記特許文献１に記載の表示画面支持機構では、表示画面の角度を調節する際にピンの固定を外し、調節した後でまたピンを固定しなければならない。このため、表示画面の角度調節の操作が煩雑であるという不都合がある。
【０００５】
そこで、上記のような不都合を解消するために、表示画面を回動させるための回動軸を設けるとともに、表示画面の自重による回動を抑制するための摩擦力を回動方向に負荷する構成の表示画面支持機構が提案されている（たとえば、特許文献２〜６参照）。
【０００６】
上記した特許文献２〜６で提案された表示画面支持機構では、表示画面を支持するための台座に対して、表示画面を回動させるための回動軸として丸軸を用いている。そして、ユーザーが表示画面に対して回動させる方向に回動を抑制するための摩擦力より大きい力を加えることにより表示画面は回動され、表示画面が傾斜した状態で、ユーザーが加えている力を除くと、摩擦力により表示画面の傾斜角度が維持される。
【０００７】
【特許文献１】実用新案登録第３０８６４６５号公報
【特許文献２】特開平８−７４８３４号公報
【特許文献３】特開２００３−１５６０２９号公報
【特許文献４】特開平１１−３３８３６３号公報
【特許文献５】実用新案登録第３１０６１８３号公報
【特許文献６】特開平１０−２８０７８１号公報
【発明の開示】
【発明が解決しようとする課題】
【０００８】
しかしながら、上記特許文献２〜６で提案されたような、表示画面を所定の角度傾斜させるための回動軸として丸軸を用いる構造では、丸軸の軸方向のずれを防止するために、Ｃリングなどの抜け止め部材を装着するための溝加工などを丸軸の外周に沿って行う必要があり、その結果、回動軸の加工が複雑になるという問題点がある。
【０００９】
この発明は、上記のような課題を解決するためになされたものであり、この発明の１つの目的は、回動軸として丸軸を用いることなく、表示画面の角度調節の操作を容易に行うことが可能な表示画面支持機構を提供することである。
【課題を解決するための手段および発明の効果】
【００１０】
この発明の第１の局面による表示画面支持機構は、表示画面側に設けられる表示画面側支持部材と、台座側に設けられる台座側支持部材とを備えた表示画面支持機構において、板状に形成された板金製の支持軸をさらに備え、表示画面側支持部材は、板状の支持軸が挿入される第１穴部を有するとともに、支持軸を回動軸として回動可能であり、台座側支持部材は、板状の支持軸が挿入される第２穴部を有し、表示画面側支持部材および台座側支持部材には、それぞれ、表示画面側支持部材および台座側支持部材の互いに対向する面側に圧接されて摩擦抵抗を発生させるための第１凸部および第２凸部が設けられており、第１凸部および第２凸部は、支持軸を挟むように配置されており、表示画面側支持部材の第１凸部および台座側支持部材の第２凸部は、それぞれ表示画面側支持部材および台座側支持部材が弾性変形により撓んだ状態で台座側支持部材および表示画面側支持部材に圧接され、第１穴部および第２穴部のうちのいずれか一方は、扇形状に形成されるとともに、他方は、板状の支持軸の回動を規制するように長方形状に形成され、表示画面側支持部材が扇形状の角度範囲で板状の支持軸を回動軸として回動可能である。
【００１１】
この第１の局面による表示画面支持機構では、上記のように、板状の支持軸を設け、かつ、その板状の支持軸が挿入される第１穴部を有するとともに支持軸を回動軸として回動可能な表示画面側支持部材と、板状の支持軸が挿入される第２穴部を有する台座側支持部材とを設けることによって、丸軸を用いることなく、板状の支持軸を回動軸として用いることができる。この場合、板状に形成された板金製の支持軸は、プレス加工により容易に穴加工や形状の加工を行うことができるので、丸軸の外周面に沿って溝加工などを行う場合と異なり、回動軸の加工が複雑になることもない。また、表示画面側支持部材および台座側支持部材の互いに対向する面側に圧接されて摩擦抵抗を発生させるための凸部を設けることによって、表示画面側支持部材と台座側支持部材との間に表示画面側支持部材が台座側支持部材に対して回動するのを抑制する摩擦力を発生させることができる。この摩擦力により、表示画面側支持部材が自重によって台座側支持部材に対して回動することを抑制することができる。したがって、表示画面側支持部材を台座側支持部材に対して所定の傾斜位置で固定するためにピンで固定するなどの操作を行う必要がないので、表示画面の角度調節を容易に行うことができる。
【００１２】
また、表示画面側支持部材の第１凸部および台座側支持部材の第２凸部を、表示画面側支持部材および台座側支持部材が弾性変形により撓んだ状態で台座側支持部材および表示画面側支持部材に圧接することによって、表示画面側支持部材および台座側支持部材により、第１凸部および第２凸部を台座側支持部材および表示画面側支持部材に所定の押圧力で圧接することができるので、容易に、表示画面側支持部材の回動を抑制するための摩擦力を得ることができる。そのため、摩擦力を得るために板バネなどの別部材を設けることなく、回動を抑制するための摩擦力を得ることができる。また、第１凸部を表示画面側支持部材に設け、第２凸部を台座側支持部材に設け、表示画面側支持部材の第１凸部と台座側支持部材の第２凸部とを、支持軸を挟むように配置することによって、回動軸となる支持軸に対して互いに反対の位置に摩擦力を加えることができるので、摩擦力を安定させることができるとともに表示画面側支持部材の回動動作を安定させることができる。
【００１３】
また、板状の支持軸が挿入される第１穴部および第２穴部のうちのいずれか一方を扇形状に形成するとともに、表示画面側支持部材が扇形状の角度範囲で板状の支持軸を回動軸として回動可能なように構成することによって、回動範囲を規制するための部材を別個に設けることなく、扇形状の第１穴部または第２穴部のいずれか一方により、表示画面側支持部材の回動可能な角度範囲を規制することができる。また、第１穴部および第２穴部のうちのいずれか一方を扇形状に形成するとともに、他方を板状の支持軸の回動を規制するように長方形状に形成することによって、表示画面側支持部材の第１穴部が長方形状に形成されている場合には、板状の支持軸が表示画面側支持部材に対して摺動することがないとともに、台座側支持部材の第２穴部が長方形状に形成されている場合には、板状の支持軸が台座側支持部材に対して摺動することがないので、支持軸が摺動することに起因して表示画面支持部材または台座側支持部材が磨耗するのを抑制することができる。
【００１４】
この発明の第２の局面による表示画面支持機構は、板状に形成された板金製の支持軸と、板状の支持軸が挿入される第１穴部を有するとともに、表示画面側に設けられ、支持軸を回動軸として回動可能な表示画面側支持部材と、板状の支持軸が挿入される第２穴部を有するとともに、台座側に設けられる台座側支持部材とを備え、表示画面側支持部材と台座側支持部材との少なくとも一方には、表示画面側支持部材および台座側支持部材の互いに対向する面側に圧接されて摩擦抵抗を発生させるための凸部が設けられている。
【００１５】
この第２の局面による表示画面支持機構では、上記のように、板状の支持軸を設け、かつ、その板状の支持軸が挿入される第１穴部を有するとともに支持軸を回動軸として回動可能な表示画面側支持部材と、板状の支持軸が挿入される第２穴部を有する台座側支持部材とを設けることによって、丸軸を用いることなく、板状の支持軸を回動軸として用いることができる。この場合、板状に形成された板金製の支持軸は、プレス加工により容易に穴加工や形状の加工を行うことができるので、丸軸の外周面に沿って溝加工などを行う場合と異なり、回動軸の加工が複雑になることもない。また、表示画面側支持部材および台座側支持部材の互いに対向する面側に圧接されて摩擦抵抗を発生させるための凸部を設けることによって、表示画面側支持部材と台座側支持部材との間に表示画面側支持部材が台座側支持部材に対して回動するのを抑制する摩擦力を発生させることができる。この摩擦力により、表示画面側支持部材が自重によって台座側支持部材に対して回動することを抑制することができる。したがって、表示画面側支持部材を台座側支持部材に対して所定の傾斜位置で固定するためにピンで固定するなどの操作を行う必要がないので、表示画面の角度調節の操作を容易に行うことができる。
【００１６】
上記第２の局面による表示画面支持機構において、好ましくは、表示画面側支持部材と台座側支持部材との少なくとも一方に設けられる凸部は、表示画面側支持部材と台座側支持部材との少なくとも一方が弾性変形により撓んだ状態で表示画面側支持部材と台座側支持部材との少なくとも一方に圧接されている。このように構成すれば、表示画面側支持部材または台座側支持部材により、凸部を表示画面側支持部材または台座側支持部材に所定の押圧力で圧接することができるので、容易に、表示画面側支持部材の回動を抑制するための摩擦力を得ることができる。そのため、摩擦力を得るために板バネなどの別部材を設けることなく、回動を抑制するための摩擦力を得ることができる。
【００１７】
上記第２の局面による表示画面支持機構において、好ましくは、凸部は、表示画面側支持部材に設けられた第１凸部と、台座側支持部材に設けられた第２凸部とを含み、表示画面側支持部材の第１凸部と台座側支持部材の第２凸部とは、支持軸を挟むように配置されている。このように構成すれば、回動軸となる支持軸に対して互いに反対の位置に摩擦力を加えることができるので、摩擦力を安定させることができるとともに表示画面側支持部材の回動動作を安定させることができる。
【００１８】
上記第２の局面による表示画面支持機構において、好ましくは、板状の支持軸が挿入される第１穴部および第２穴部のうちの少なくともいずれか一方を扇形状に形成するとともに、表示画面側支持部材が扇形状の角度範囲で前記板状の支持軸を回動軸として回動可能である。このように構成すれば、回動範囲を規制するための部材を別個に設けることなく、扇形状の第１穴部または第２穴部により、表示画面側支持部材の回動可能な角度範囲を規制することができる。
【００１９】
上記第２の局面による表示画面支持機構において、好ましくは、第１穴部および第２穴部のうちのいずれか一方を扇形状に形成するとともに、他方を板状の支持軸の回動を規制するように長方形状に形成する。このように構成すれば、表示画面側支持部材の第１穴部が長方形状に形成されている場合には、板状の支持軸が表示画面側支持部材に対して摺動することがないとともに、台座側支持部材の第２穴部が長方形状に形成されている場合には、板状の支持軸が台座側支持部材に対して摺動することがないので、支持軸が摺動することに起因して表示画面側支持部材または台座側支持部材が磨耗するのを抑制することができる。
【００２０】
この発明の第３の局面による表示画面支持機構は、板状に形成された板金製の支持軸と、板状の支持軸が挿入される第１穴部を有するとともに、表示画面側に設けられ、支持軸を回動軸として回動可能な表示画面側支持部材と、板状の支持軸が挿入される第２穴部を有するとともに、台座側に設けられる台座側支持部材と、板状の支持軸が挿入される第３穴部を有する板部材とを備え、板部材には、表示画面側支持部材または台座側支持部材のいずれか一方に圧接されて摩擦抵抗を発生させるための凸部が設けられる。
【００２１】
この第３の局面による表示画面支持機構では、上記のように、板状の支持軸を設け、かつ、その板状の支持軸が挿入される第１穴部を有するとともに支持軸を回動軸として回動可能な表示画面側支持部材と、板状の支持軸が挿入される第２穴部を有する台座側支持部材とを設けることによって、丸軸を用いることなく、板状の支持軸を回動軸として用いることができる。この場合、板状に形成された板金製の支持軸は、プレス加工により容易に穴加工や形状の加工を行うことができるので、丸軸の外周面に沿って溝加工などを行う場合と異なり、回動軸の加工が複雑になることもない。また、板状の支持軸が挿入される板部材に、表示画面側支持部材または台座側支持部材のいずれか一方に圧接されて摩擦抵抗を発生させるための凸部を設けることによって、板部材の凸部と表示画面側支持部材または台座側支持部材との間に表示画面側支持部材が台座側支持部材に対して回動するのを抑制する摩擦力を発生させることができる。この摩擦力により、表示画面側支持部材が自重によって台座側支持部材に対して回動することを抑制することができる。したがって、表示画面側支持部材を台座側支持部材に対して所定の傾斜位置で固定するためにピンで固定するなどの操作を行う必要がないので、表示画面の角度調節の操作を容易に行うことができる。
【００２２】
上記第３の局面による表示画面支持機構において、好ましくは、板部材の凸部は、支持軸を挟むように配置されている一対の凸部を含む。このように構成すれば、回動軸となる支持軸に対して反対の位置に摩擦力を加えることができるので、摩擦力を安定させることができるとともに表示画面側支持部材の回動動作を安定させることができる。
【００２３】
上記第３の局面による表示画面支持機構において、好ましくは、板状の支持軸が挿入される第１穴部および第２穴部のうちの少なくともいずれか一方を扇形状に形成するとともに、表示画面側支持部材が扇形状の角度範囲で板状の支持軸を回動軸として回動可能である。このように構成すれば、回動範囲を規制するための部材を別個に設けることなく、扇形状の第１穴部または第２穴部により、表示画面側支持部材の回動可能な角度範囲を規制することができる。
【００２４】
上記第３の局面による表示画面支持機構において、好ましくは、第１穴部および第２穴部のうちのいずれか一方を扇形状に形成するとともに、他方を板状の支持軸の回動を規制するように長方形状に形成する。このように構成すれば、表示画面側支持部材の第１穴部が長方形状に形成されている場合には、板状の支持軸が表示画面側支持部材に対して摺動することがないとともに、台座側支持部材の第２穴部が長方形状に形成されている場合には、板状の支持軸が台座側支持部材に対して摺動することがないので、支持軸が摺動することに起因して表示画面側支持部材または台座側支持部材が磨耗するのを抑制することができる。
【発明を実施するための最良の形態】
【００２５】
以下、本発明を具体化した実施形態を図面に基づいて説明する。
【００２６】
（第１実施形態）
図１は、本発明の第１実施形態による表示画面支持機構が設けられた液晶表示装置の全体構成を示した側面図である。図２は、図１に示した第１実施形態による液晶表示装置の液晶表示部を取り外した状態を示した斜視図である。図３は、図１に示した第１実施形態による表示画面支持機構の全体構成を示した斜視図である。図４〜図１０は、図３に示した第１実施形態による表示画面支持機構の詳細構造を示した図である。まず、図１〜図１０を参照して、本発明の第１実施形態による表示画面支持機構１の構造について説明する。
【００２７】
本発明の第１実施形態による表示画面支持機構１は、図１に示すように、液晶表示装置３０の液晶表示部４０を支持するために設けられている。この表示画面支持機構１は、台座５０に取り付けられている。また、表示画面支持機構１は、図１および図２に示すように、液晶表示部４０を台座５０に対してＡ方向およびＢ方向に回動可能に支持している。また、表示画面支持機構１は、液晶表示部４０を台座５０に対して所定の角度傾斜させた状態で支持することが可能なように構成されている。なお、液晶表示部４０は、本発明の「表示画面」の一例である。
【００２８】
また、表示画面支持機構１は、図３および図４に示すように、板金製の液晶表示部支持部材２と、板金製の一対の台座側支持部材３と、板金製の板状の支持軸４と、板金製の抜け止め部材５と、板金製の圧接板６とを備えている。
【００２９】
ここで、第１実施形態では、液晶表示部支持部材２は、図３および図４に示すように、表示部取付部２ａと、一対の回動部２ｂとを含んでいる。また、液晶表示部支持部材２の表示部取付部２ａには、４つのねじ挿入孔２ｃが設けられている。また、液晶表示部支持部材２の一対の回動部２ｂは、表示部取付部２ａの両側端部から、それぞれ、表示部取付部２ａの表面に対して垂直方向に延びるように設けられている。また、図４に示すように、一対の回動部２ｂの下端部近傍には、それぞれ、扇形状の穴部２ｄと、一対の円弧形状の穴部２ｅと、台座側支持部材３に向かって突出する凸部２ｆとが設けられている。なお、液晶表示部支持部材２は、本発明の「表示画面側支持部材」の一例である。また、穴部２ｄは、本発明の「第１穴部」の一例である。また、凸部２ｆは、本発明の「第１凸部」の一例である。
【００３０】
また、扇形状の穴部２ｄは、図４および図８に示すように、板状の支持軸４を挿入するために設けられている。また、扇形状の穴部２ｄは、図１０に示すように、中心角αが約６０°に形成されるとともに、根元部２ｇが上方に配置されるように設けられている。また、扇形状の穴部２ｄの根元部２ｇの長さＬ４は、後述する支持軸４の厚みＴ１（図４参照）とほぼ同じ大きさを有する。これにより、扇形状の穴部２ｄの根元部２ｇが液晶表示部支持部材２を介して液晶表示部４０の垂直荷重を受けるように構成されている。また、液晶表示部支持部材２は、板状の支持軸４に支持された扇形状の穴部２ｄの根元部２ｇを中心にして、扇形状の角度範囲（第１実施形態では、約６０°）で回動可能に構成されている。すなわち、板状の支持軸４は、液晶表示部支持部材２の回動軸として機能する。
【００３１】
また、一対の円弧形状の穴部２ｅは、図１０に示すように、後述する圧接板６の一対の係合片６ａを挿入するために設けられている。また、一対の円弧形状の穴部２ｅは、扇形状の穴部２ｄの根元部２ｇを中心とした円上に配置されるように設けられている。
【００３２】
また、第１実施形態では、一対の台座側支持部材３は、図３および図４に示すように、それぞれ、台座取付部３ａと、回動部取付部３ｂとを含んでいる。また、台座側支持部材３の台座取付部３ａには、４つのねじ取付孔３ｃが設けられている。また、台座側支持部材３の回動部取付部３ｂは、台座取付部３ａの一方端部から台座取付部３ａの表面に対して垂直方向の上方に延びるように設けられている。また、回動部取付部３ｂには、長方形状の穴部３ｄと、液晶表示部支持部材２の表示部取付部２ｂの一対の穴部２ｅよりも短い円弧長さを有する円弧形状の穴部３ｅと、液晶表示部支持部材２に向かって突出する凸部３ｆとが設けられている。なお、穴部３ｄは、本発明の「第２穴部」の一例である。また、凸部３ｆは、本発明の「第２凸部」の一例である。
【００３３】
また、長方形状の穴部３ｄは、図４および図８に示すように、板状の支持軸４を挿入するために設けられている。また、長方形状の穴部３ｄの短手方向の長さＬ１は、後述する支持軸４の厚みＴ１（図４参照）とほぼ同じ大きさを有する。これにより、長方形状の穴部３ｄは、支持軸４の回動を規制する機能を有している。また、一対の円弧形状の穴部３ｅは、後述する圧接板６の係合片６ａと係合するために設けられている。また、一対の円弧形状の穴部３ｅは、長方形状の穴部３ｄの上端部を中心とした円上に配置されるように設けられている。
【００３４】
また、第１実施形態では、板金製の板状の支持軸４は、図３および図４に示すように、一対の当接部４ａと、長方形状の穴部４ｂとを含んでいる。支持軸４の一対の当接部４ａは、支持軸４の長手方向に延びる両側面の後端部に突出するように設けられている。この当接部４ａは、図７および図８に示すように、台座側支持部材３と当接させるために設けられている。また、支持軸４の長方形状の穴部４ｂは、図４および図９に示すように、抜け止め部材５を挿入するために設けられている。また、長方形状の穴部４ｂの短手方向の長さＬ２（図４参照）は、後述する抜け止め部材５の厚みＴ２（図５参照）とほぼ同じ大きさを有する。また、穴部４ｂは、長手方向の長さＬ３を有する。
【００３５】
また、第１実施形態では、板金製の抜け止め部材５は、図５に示すように、板状に形成されているとともに、長手方向に延びる一方側面に当接部５ａと、係合部５ｂおよび５ｃとを含んでいる。また、抜け止め部材５は、板状の支持軸４が液晶表示部支持部材２の扇形状の穴部２ｄおよび台座側支持部材３の長方形状の穴部３ｄから抜けるのを抑制するために設けられている。また、抜け止め部材５の当接部５ａは、図５に示すように、挿入方向Ｃと直交するＤ方向（厚み方向と直交する方向）に設けられている。抜け止め部材５の当接部５ａに対応する部分は、支持軸４の穴部４ｂの長手方向の長さＬ３（図４参照）よりも大きい幅Ｗ２（図５参照）を有する。この当接部５ａは、抜け止め部材５を支持軸４の穴部４ｂに挿入する際に、支持軸４の表面と当接することにより抜け止め部材５が支持軸４の穴部４ｂから抜け落ちるのを抑制するために設けられている。
【００３６】
また、液晶表示部支持部材２の回動部２ｂと、台座側支持部材３の回動部取付部３ｂとは、抜け止め部材５と支持軸４の当接部４ａによって挟まれるように押圧されている。これにより、図７および図８に示すように、液晶表示部支持部材２の回動部２ｂと台座側支持部材３の回動部取付部３ｂとは、互いに近づく方向に弾性変形の範囲で撓んでいる。ここで、第１実施形態では、液晶表示部支持部材２の回動部２ｂと台座側支持部材３の回動部取付部３ｂとを撓ませて、元に戻ろうとする力を利用して凸部２ｆおよび凸部３ｆをそれぞれ台座側支持部材３の回動部取付部３ｂおよび液晶表示部支持部材２の回動部２ｂに圧接している。これにより、液晶表示部支持部材２が回動しようとする際に、凸部２ｆと台座側支持部材３の回動部取付部３ｂとの当接面および凸部３ｆと液晶表示部支持部材２の回動部２ｂとの当接面に摩擦力が発生する。この摩擦力により、液晶表示部支持部材２は、任意の回動角度を保持することが可能である。
【００３７】
また、凸部２ｆと台座側支持部材３の回動部取付部３ｂとの当接面および凸部３ｆと液晶表示部支持部材２の回動部２ｂとの当接面にはグリスが塗布されている。これにより、液晶表示部支持部材２が回動する際に、板金製の液晶表示部支持部材２の回動部２ｂと板金製の台座側支持部材３の回動部取付部３ｂとが摺動することによって摩耗することを抑制している。
【００３８】
また、抜け止め部材５の係合部５ｂおよび５ｃは、液晶表示部支持部材２および台座側支持部材３が撓むことによる押圧力を受けるとともに、液晶表示部支持部材２および台座側支持部材３を撓ませるための押圧力を調節することが可能なように構成されている。具体的には、図５に示すように、抜け止め部材５の係合部５ｂは、当接部５ａと隣接するように設けられている。また、抜け止め部材５の係合部５ｃは、段差部５ｄを介して係合部５ｂと隣接するように設けられている。また、抜け止め部材５の係合部５ｂに対応する部分は、抜け止め部材５の当接部５ａに対応する部分よりも小さく、かつ、支持軸４の穴部４ｂの長手方向の長さＬ３（図４参照）よりも小さい幅Ｗ３を有する。また、抜け止め部材５の係合部５ｃに対応する部分は、抜け止め部材５の係合部５ｂに対応する部分よりも小さく、かつ、支持軸４の穴部４ｂの長手方向の長さＬ３（図４参照）よりも小さい幅Ｗ４を有する。これにより、図９に示すように、支持軸４の穴部４ｂに係合部５ｃが配置された場合には、支持軸４の穴部４ｂに係合部５ｂが配置される場合に比べて、抜け止め部材５の段差部５ｄの長さ（＝Ｗ３−Ｗ４）分だけ、抜け止め部材５と支持軸４の当接部４ａとが離れる。これにより、支持軸４の穴部４ｂに係合部５ｂが配置される場合に比べて、支持軸４の穴部４ｂに係合部５ｃが配置された場合には、液晶表示部支持部材２および台座側支持部材３を撓ませるための押圧力を小さくすることが可能である。なお、液晶表示部支持部材２および台座側支持部材３を撓ませるための押圧力の大きさは、液晶表示部支持部材２が支持軸４を回動軸として回動可能であり、かつ、液晶表示部支持部材２を台座側支持部材３に対して所定の傾斜角度で支持することが可能な大きさである。
【００３９】
また、図１０に示すように、液晶表示部支持部材２の凸部２ｆおよび台座側支持部材３の凸部３ｆは、支持軸４を挟むように配置されている。これにより、回動軸となる支持軸４に対して反対の位置に摩擦力を加えることが可能であるので、摩擦力を安定させることができるとともに、回動動作を安定させることが可能である。また、液晶表示部支持部材２の凸部２ｆと回動中心となる支持軸４の上辺（根元部２ｇ）との距離Ｄ１と、台座側支持部材３の凸部３ｆと回動中心となる支持軸４の上辺（根元部２ｇ）との距離Ｄ２とはほぼ等しい。これにより、凸部２ｆと台座側支持部材３との摩擦力の大きさおよび凸部３ｆと液晶表示部支持部材２との摩擦力の大きさを近づけることが可能である。これにより、より回動動作を安定させることが可能である。
【００４０】
また、第１実施形態では、板金製の圧接板６は、図３、図４および図６に示すように、円形状に形成されているとともに、一対の係合片６ａと、長方形状の穴部６ｂと、複数の凸部６ｃとを含んでいる。また、図３および図７に示すように、圧接板６は、液晶表示部支持部材２と抜け止め部材５との間に配置されている。また、圧接板６の一対の係合片６ａは、圧接板６の端部から圧接板６の表面に対して垂直方向に突出するように設けられている。また、圧接板６の長方形状の穴部６ｂは、図４、図７および図８に示すように、支持軸４を挿入するために設けられている。また、長方形状の穴部６ｂの短手方向の長さは、支持軸４の厚みＴ１（図４参照）とほぼ同じ大きさを有するとともに、長方形状の穴部６ｂの長手方向の長さは、支持軸４の幅Ｗ１（図４参照）とほぼ同じ大きさを有している。また、圧接板６の複数の凸部６ｃは、係合片６ａが突出する側の表面に、液晶表示部支持部材２と圧接板６との間の摩擦力を増加させるために設けられている。
【００４１】
また、液晶表示部４０は、図１に示すように、液晶画面４１ａを含む液晶モジュール４１と、フロントキャビネット４２と、リアキャビネット４３とを含んでいる。また、液晶表示部４０の液晶モジュール４１は、液晶表示部支持部材２のねじ挿入孔２ｃを介して、ねじ取付孔（図示せず）にねじ６０が締め付けられることにより、液晶表示部支持部材２に取り付けられている。また、リアキャビネット４３には、液晶表示部支持部材２を配置するための切欠部４３ａが設けられている。
【００４２】
また、台座５０は、図１〜図３に示すように、台座本体部５１と、カバー部材５２と、支持脚５３とを含んでいる。また、台座５０の台座本体部５１には、底面側から台座本体部５１のねじ挿入孔（図示せず）を介して、台座側支持部材３のねじ取付孔３ｄにねじ６１が締め付けられることにより、台座側支持部材３が取り付けられている。また、台座５０のカバー部材５２は、底面側から台座本体部５１のねじ挿入孔５１ａを介して、カバー部材５２のねじ取付孔（図示せず）にねじ（図示せず）が締め付けられることにより、台座本体部５１に取り付けられている。また、カバー部材５２には、液晶表示部支持部材２を配置するための切欠部５２ａが設けられている。また、支持脚５３は、台座本体部５１の底面に取り付けられている。
【００４３】
図１１および図１２は、図３に示した第１実施形態による表示画面支持機構の回動動作を説明するための断面図である。図１および図１０〜図１２を参照して、第１実施形態による表示画面支持機構１の回動動作について説明する。
【００４４】
まず、液晶表示部支持部材２を前方に傾斜させる場合には、図１０に示した液晶表示部支持部材２が台座側支持部材３に対して直立した状態から、液晶表示部支持部材２により支持される液晶表示部４０（図１参照）を把持して矢印Ａ方向に押圧する。これにより、図１１に示すように、液晶表示部支持部材２が扇形状の穴部２ｄの根元部２ｇを中心として矢印Ａ方向に回動される。そして、所定の傾斜角度まで矢印Ａ方向に回動させて、液晶表示部支持部材２を押圧するのを止めると、凸部２ｆと台座側支持部材３との摩擦力および凸部３ｆと液晶表示部支持部材２との摩擦力により、液晶表示部支持部材２が台座側支持部材３に対して所定の傾斜角度で支持される。なお、第１実施形態では、図１１に示すように、支持軸４と扇形状の穴部２ｄの一方端面とが当接する３０°のＡ方向の傾斜角度まで液晶表示部支持部材２を回動（傾斜）させることが可能である。
【００４５】
また、液晶表示部支持部材２を後方に傾斜させる場合には、図１０に示した液晶表示部支持部材２が台座側支持部材３に対して直立した状態から、液晶表示部支持部材２により支持される液晶表示部４０（図１参照）を把持して矢印Ｂ方向に押圧する。これにより、図１２に示すように、液晶表示部支持部材２が扇形状の穴部２ｄの根元部２ｇを中心として矢印Ｂ方向に回動される。そして、所定の傾斜角度まで矢印Ｂ方向に回動させて、液晶表示部支持部材２を押圧するのを止めると、凸部２ｆと台座側支持部材３との摩擦力および凸部３ｆと液晶表示部支持部材２との摩擦力により、液晶表示部支持部材２が台座側支持部材３に対して所定の傾斜角度で支持される。なお、第１実施形態では、図１２に示すように、支持軸４と扇形状の穴部２ｄの他方端面とが当接する３０°のＢ方向の傾斜角度まで液晶表示部支持部材２を回動（傾斜）させることが可能である。
【００４６】
上記のように、第１実施形態では、板状の支持軸４を設け、かつ、その板状の支持軸４が挿入される穴部２ｄを有するとともに支持軸４を回動軸として回動可能な液晶表示部支持部材２と、板状の支持軸４が挿入される穴部３ｄを有する台座側支持部材３とを設けることによって、丸軸を用いることなく、板状の支持軸４を回動軸として用いることができる。この場合、板状に形成された板金製の支持軸４は、プレス加工により容易に穴加工や形状の加工を行うことができるので、丸軸の外周面に沿って溝加工などを行う場合と異なり、回動軸の加工が複雑になることもない。また、液晶表示部支持部材２および台座側支持部材３に互いに対向する面側に圧接されて摩擦抵抗を発生させるための凸部２ｆおよび３ｆを設けることによって、液晶表示部支持部材２と台座側支持部材３との間に液晶表示部支持部材２が台座側支持部材３に対して回動するのを抑制する摩擦力を発生させることができる。この摩擦力により、液晶表示部支持部材２が自重によって台座側支持部材３に対して回動することを抑制することができるので、任意の回動角度で停止させることができる。したがって、液晶表示部支持部材２を台座側支持部材３に対して所定の位置で固定するためにピンで固定するなどの操作を行う必要がないので、液晶表示部４０の角度調節の操作を容易に行うことができる。
【００４７】
また、第１実施形態では、液晶表示部支持部材２および台座側支持部材３の凸部２ｆおよび３ｆを、液晶表示部支持部材２および台座側支持部材３を弾性変形により撓んだ状態で台座側支持部材３および液晶表示部支持部材２に圧接することによって、凸部２ｆおよび３ｆを台座側支持部材３および液晶表示部支持部材２に押圧することができるので、容易に摩擦力を得ることができる。そのため、摩擦力を得るために板バネなどの別部材を設けることなく、回動を抑制するための摩擦力を得ることができる。
【００４８】
また、第１実施形態では、凸部２ｆおよび３ｆを液晶表示部支持部材２および台座側支持部材３にそれぞれ設け、液晶表示部支持部材２の凸部２ｆと台座側支持部材３の凸部３ｆとを、支持軸４を挟むように配置することによって、回動軸となる支持軸４に対して反対の位置に摩擦力を加えることができるので、摩擦力を安定させることができるとともに液晶表示部支持部材２の回動動作を安定させることができる。
【００４９】
また、第１実施形態では、板状の支持軸４が挿入される穴部２ｄを扇形状に形成するとともに、液晶表示部支持部材２が扇形状の角度範囲で板状の支持軸４を回動軸として回動可能なように構成することによって、回動範囲を規制するための部材を別個に設けることなく、扇形状の穴部２ｄにより、液晶表示部支持部材２の回動可能な角度範囲を規制することができる。
【００５０】
また、第１実施形態では、穴部２ｄを扇形状に形成するとともに、穴部３ｄを板状の支持軸４の回動を規制するように長方形状に形成することによって、板状の支持軸４が台座側支持部材３に対して摺動することがないので、支持軸４が摺動することに起因して台座側支持部材３が磨耗するのを抑制することができる。
【００５１】
（第２実施形態）
図１３は、本発明の第２実施形態による表示画面支持機構の全体構成を示した斜視図である。図１４は、図１３に示した第２実施形態による液晶表示装置の液晶表示部を取り外した状態を示した斜視図である。図１５および図１６は、本発明の第２実施形態による表示画面支持機構の詳細を説明するための図である。図１３〜図１６を参照して、この第２実施形態では、上記第１実施形態と異なり、圧接板１０６に一対の凸部１０６ｃを設けた例について説明する。なお、板状の支持軸４および抜け止め部材５の構造は、上記した第１実施形態と同様である。  
【００５２】
第２実施形態による表示画面支持機構１０１は、図１３および図１４に示すように、液晶表示部支持部材１０２と、一対の台座側支持部材１０３と、板金製の板状の支持軸４と、板金製の抜け止め部材５と、バネ鋼製の圧接板１０６とを備えている。なお、液晶表示部支持部材１０２は、本発明の「表示画面側支持部材」の一例である。
【００５３】
また、図１３に示すように、液晶表示部支持部材１０２は、表示部取付部１０２ａと、一対の回動部１０２ｂとを含んでいる。また、液晶表示部支持部材１０２の表示部取付部１０２ａには、４つのねじ挿入穴１０２ｃが設けられている。また、図１４に示すように、一対の回動部１０２ｂの下端部近傍には、それぞれ、扇形状の穴部１０２ｄと、一対の円弧形状の穴部１０２ｅとが設けられている。また、液晶表示部支持部材１０２は、板状の支持軸４に支持され、扇形状の穴部１０２ｄの根元部１０２ｆを中心にして、扇形状の角度範囲で回動可能に構成されている。すなわち、板状の支持軸４は、液晶表示部支持部材１０２の回動軸として機能する。また、一対の円弧形状の穴部１０２ｅは、後述する圧接板１０６の係合片１０６ａを挿入するために設けられている。なお、穴部１０２ｄは、本発明の「第１穴部」の一例である。
【００５４】
また、一対の台座側支持部材１０３は、図１３に示すように、それぞれ、台座取付部１０３ａと、回動部取付部１０３ｂとを含んでいる。また、台座側支持部材１０３の台座取付部１０３ａには、４つのねじ取付穴１０３ｃが設けられている。また、図１４に示すように、回動部取付部１０３ｂには、長方形状の穴部１０３ｄと、液晶表示部支持部材１０２の表示部取付部１０２ｂの一対の穴部１０２ｅよりも短い円弧長さを有する円弧形状の穴部１０３ｅとが設けられている。なお、穴部１０３ｄは、本発明の「第２穴部」の一例である。
【００５５】
ここで、第２実施形態では、図１４および図１５に示すように、バネ鋼製の圧接板１０６は縦長に形成されるとともに、一対の係合片１０６ａと、長方形状の穴部１０６ｂと、一対の凸部１０６ｃとが設けられている。一対の係合片１０６ａは、図１４に示すように、台座側支持部材１０３の穴部１０３ｅに係合するため、圧接板１０６は、台座側支持部材１０３に液晶表示部支持部材１０２の回動方向に対して固定されている。また、長方形状の穴部１０６ｂには、支持軸４が挿入される。なお、圧接板１０６は、本発明の「板部材」の一例であり、穴部１０６ｂは、本発明の「第３穴部」の一例である。
【００５６】
また、図１６に示すように、液晶表示部支持部材１０２と、台座側支持部材１０３と、圧接板１０６とは、支持軸４の当接部４ａと抜け止め部材５とによって挟まれるように押圧されている。
【００５７】
また、第２実施形態では、図１６に示すように、圧接板１０６が押圧されて撓んでおり、その撓みが元に戻ろうとする力を利用して一対の凸部１０６ｃを液晶表示部支持部材１０２に圧接している。また、圧接板１０６は、台座側支持部材１０３に液晶表示部支持部材１０２の回動方向に対して固定されているため、液晶表示部支持部材１０２が回動する際に、液晶表示部支持部材１０２と圧接板１０６の凸部１０６ａとの間に摩擦力がかかる。この摩擦力により、液晶表示部支持部材１０２の回動を抑制することが可能である。また、一対の凸部１０６ｃは、支持軸４を挟むように配置されている。このため、回動軸となる支持軸４に対して反対の位置に摩擦力を加えることが可能であるので、摩擦力を安定させることが可能であるとともに、回動動作を安定させることが可能である。また、圧接板１０６の上側の凸部１０６ｃと回動中心となる支持軸４の上辺（根元部１０２ｆ）との距離Ｄ３と、下側の凸部１０６ｃと回動中心となる支持軸４の上辺（根元部１０２ｆ）との距離Ｄ４とはほぼ等しい。これにより、上側の凸部１０６ｃと液晶表示部支持部材１０２との摩擦力の大きさおよび下側の凸部１０６ｃと液晶表示部支持部材１０２との摩擦力の大きさを近づけることが可能である。これにより、より回動動作を安定させることが可能である。
【００５８】
第２実施形態では、上記のように、板状の支持軸４を設け、かつ、その板状の支持軸４が挿入される穴部１０２ｄを有するとともに支持軸４を回動軸として回動可能な液晶表示部支持部材１０２と、板状の支持軸４が挿入される穴部１０３ｄを有する台座側支持部材１０３とを設けることによって、上記第１実施形態と同様、丸軸を用いることなく、板状の支持軸４を回動軸として用いることができる。また、圧接板１０６に、液晶表示部支持部材１０２に対して圧接させて摩擦抵抗を発生させるための一対の凸部１０６ｃを設けることによって、圧接板１０６の一対の凸部１０６ｃと液晶表示部支持部材１０２との間に液晶表示部支持部材１０２が台座側支持部材１０３に対して回動するのを抑制する摩擦力を発生させることができる。この摩擦力により、液晶表示部支持部材１０２が自重によって台座側支持部材１０３に対して回動することを抑制することができるので、任意の回動角度で停止させることができる。したがって、液晶表示部支持部材１０２を台座側支持部材１０３に対して所定の傾斜位置で固定するためにピンで固定するなどの操作を行う必要がないので、表示画面（図示せず）の角度調節を容易に行うことができる。
【００５９】
また、第２実施形態では、上記のように、一対の凸部１０６ｃを、支持軸４を挟むように配置することによって、回動軸となる支持軸４に対して対称の位置に摩擦力を加えることができるので、摩擦力を安定させることができるとともに液晶表示部支持部材１０２の回動動作を安定させることができる。
【００６０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６１】
たとえば、上記第１実施形態および第２実施形態では、液晶表示装置に表示画面支持機構を設ける例を示したが、本発明はこれに限らず、有機ＥＬ表示装置などの液晶表示装置以外の表示装置に表示画面支持機構を設けるようにしてもよい。
【００６２】
また、上記第１実施形態および第２実施形態では、台座側支持部材の穴部を長方形状に形成するとともに、液晶表示部支持部材の穴部を扇形状に形成し、扇形状の根元部を上方に配置する例を示したが、本発明はこれに限らず、液晶表示部支持部材の穴部を長方形状に形成するとともに、台座側支持部材の穴部を扇形状に形成し、扇形状の根元部を下方に配置するようにしてもよい。このとき、液晶表示部支持部材を台座側支持部材に対して回動させる場合には、液晶表示部支持部材の長方形状の穴部に挿入される支持軸は、台座側支持部材の扇形状の穴部の根元部を中心として、液晶表示部支持部材と一体的に回動する。
【００６３】
また、上記第１実施形態では、液晶表示部支持部材と台座側支持部材との両方に凸部を設けた例を示したが、本発明はこれに限らず、図１７に示す第１変形例による表示画面支持機構２０１のように、台座側支持部材３のみに凸部３ｆを設けてもよい。この第１変形例による表示画面支持機構２０１は、第１実施形態の液晶表示部支持部材２を、凸部が設けられていない第２実施形態の液晶表示部支持部材１０２に取り替えることにより、容易に形成することができる。また、図１８に示す第２変形例による表示画面支持機構３０１のように、液晶表示部支持部材２のみに凸部２ｆを設けてもよい。この第１変形例による表示画面支持機構３０１は、第１実施形態の台座側支持部材３を凸部が設けられていない第２実施形態の台座側支持部材１０３に取り替えることにより、容易に形成することができる。
【００６４】
また、上記第１実施形態では、液晶表示部支持部材および台座側支持部材にそれぞれ１つずつ凸部を設けた例を示したが、本発明はこれに限らず、液晶表示部支持部材および台座側支持部材にそれぞれ複数の凸部を設けてもよい。
【図面の簡単な説明】
【００６５】
【図１】本発明の第１実施形態による表示画面支持機構が設けられた液晶表示装置の全体構成を示した側面図ある。
【図２】図１に示した第１実施形態による液晶表示装置の液晶表示部を取り外した状態を示した斜視図である。
【図３】図１に示した第１実施形態による表示画面支持機構の全体構成を示した斜視図である。
【図４】図３に示した第１実施形態による表示画面支持機構の全体構成を示した分解斜視図である。
【図５】図３に示した第１実施形態による表示画面支持機構の抜け止め部材を示した斜視図である。
【図６】図３に示した第１実施形態による表示画面支持機構の圧接板を示した平面図である。
【図７】図３の矢印Ｅ方向から見た状態を部分的に示した図である。
【図８】図３の１００−１００の線に沿った断面図である。
【図９】図３の矢印Ｆ方向から見た状態を部分的に示した図である。
【図１０】図３の２００−２００の線に沿った断面図である。
【図１１】図３に示した第１実施形態による表示画面支持機構の回動動作を説明するための断面図である。
【図１２】図３に示した第１実施形態による表示画面支持機構の回動動作を説明するための断面図である。
【図１３】本発明の第２実施形態による表示画面支持機構の全体構成を示した斜視図である。
【図１４】図１３に示した第２実施形態による表示画面支持機構の全体構成を示した分解斜視図である。
【図１５】図１３に示した第２実施形態による表示画面支持機構の圧接板を示した平面図である。
【図１６】図１３の矢印Ｇ方向から見た状態を部分的に示した図である。
【図１７】本発明の第１実施形態の第１変形例の全体構成を示した斜視図である。
【図１８】本発明の第１実施形態の第２変形例の全体構成を示した斜視図である。
【符号の説明】
【００６６】
１    表示画面支持機構
２    液晶表示部支持部材（表示画面側支持部材）
２ｄ  穴部（第１穴部）
２ｆ  凸部（第１凸部）
３    台座側支持部材
３ｄ  穴部（第２穴部）
３ｆ  凸部（第２凸部）
４    支持軸
４０  液晶表示部（表示画面）
５０  台座
１０１    表示画面支持機構
１０２    液晶表示部支持部材（表示画面側支持部材）
１０２ｄ  穴部（第１穴部）
１０３    台座側支持部材
１０３ｄ  穴部（第２穴部）
１０６    圧接板（板部材）
１０６ｂ  穴部（第３穴部）
１０６ｃ  凸部
【図１】
2007233232.tif 000003
【図２】
2007233232.tif 000004
【図３】
2007233232.tif 000005
【図４】
2007233232.tif 000006
【図５】
2007233232.tif 000007
【図６】
2007233232.tif 000008
【図７】
2007233232.tif 000009
【図８】
2007233232.tif 000010
【図９】
2007233232.tif 000011
【図１０】
2007233232.tif 000012
【図１１】
2007233232.tif 000013
【図１２】
2007233232.tif 000014
【図１３】
2007233232.tif 000015
【図１４】
2007233232.tif 000016
【図１５】
2007233232.tif 000017
【図１６】
2007233232.tif 000018
【図１７】
2007233232.tif 000019
【図１８】
2007233232.tif 000020